(57)【要約】【課題】時刻表を閲覧するユーザに対し効果的に訴求可能な広告を出稿する。【解決手段】実施形態に係る広告出稿システム１は、交通機関の時刻表に含まれる時刻表情報を含む広告出力条件情報と、当該広告出力条件情報に基づいて時刻表に表示するための広告情報を受け付ける出稿情報受付部２２１と、広告出力条件情報および広告情報を関連付けて記憶する出稿情報データベース３３１を作成するデータベース作成部３２１と、を備える。【選択図】図１
2019184924.tif 000002
【特許請求の範囲】
【請求項１】
交通機関の時刻表に含まれる時刻表情報を含む広告出力条件情報と、前記広告出力条件情報に基づいて前記時刻表に表示するための広告情報とを受け付ける出稿情報受付手段と、
前記広告出力条件情報および前記広告情報を関連付けて記憶する出稿情報データベースを作成するデータベース作成手段と、
を備えることを特徴とする情報処理システム。
【請求項２】
前記時刻表情報は、前記交通機関の発着時刻、および前記発着時刻を含む時間帯のうち少なくともいずれか一つを含むことを特徴とする請求項１に記載の情報処理システム。
【請求項３】
前記時刻表情報は、移動手段種別、駅、交通事業者、路線、方面、便、および日種別のうち少なくともいずれか一つを含むことを特徴とする請求項１または２に記載の情報処理システム。
【請求項４】
前記広告出力条件情報は、時間的に変動し得る変動情報を含むことを特徴とする請求項１〜３のいずれかに記載の情報処理システム。
【請求項５】
前記変動情報は、前記交通機関の運行状況、予約状況、混雑度および天候のうち少なくともいずれか一つに関する情報を含むことを特徴とする請求項４に記載の情報処理システム。
【請求項６】
前記広告出力条件情報は、前記時刻表に係る位置と、前記時刻表の表示要求がなされた位置との間の地理的な隔たり、および／または、前記時刻表に係る時刻と、前記時刻表の表示要求がなされた時刻との間の時間的な隔たりを示す隔たり情報を含むことを特徴とする請求項１〜５のいずれかに記載の情報処理システム。
【請求項７】
前記広告出力条件情報は、前記時刻表が表示される端末装置のユーザに係るユーザ関連情報を含むことを特徴とする請求項１〜６のいずれかに記載の情報処理システム。
【請求項８】
コンピュータを、
交通機関の時刻表に含まれる時刻表情報を含む広告出力条件情報と、前記広告出力条件情報に基づいて前記時刻表に表示するための広告情報を受け付ける出稿情報受付手段として機能させるための情報処理プログラム。
【請求項９】
コンピュータを、
交通機関の時刻表に含まれる時刻表情報を含む広告出力条件情報と、前記広告出力条件情報に基づいて前記時刻表に表示するための広告情報とを関連付けて記憶する出稿情報データベースを作成するデータベース作成手段として機能させるための情報処理プログラム。
【請求項１０】
通信可能に接続された複数のコンピュータによって構成される情報処理システムであって、
交通機関の時刻表に含まれる時刻表情報を含む広告出力条件情報と、前記広告出力条件情報に基づいて前記時刻表に表示するための広告情報を受け付ける出稿情報受付手段と、
前記広告出力条件情報および前記広告情報を関連付けて記憶する出稿情報データベースを作成するデータベース作成手段と、
を備えた情報処理システムを機能させるために、
上記コンピュータの少なくとも１つを上記手段の少なくとも１つとして機能させるための情報処理プログラム。
【請求項１１】
通信可能に接続された複数のコンピュータによって、請求項１〜７のいずれかに記載の情報処理システムを機能させるために、
上記コンピュータのうちの１つを請求項１〜７のいずれかに記載の情報処理システムにおける各手段の少なくとも１つとして機能させるための情報処理プログラム。
【請求項１２】
コンピュータを、請求項１〜７のいずれかに記載の情報処理システムにおける各手段の少なくとも１つとして機能させるための情報処理プログラム。
【請求項１３】
通信可能に接続された複数の情報処理装置によって、
交通機関の時刻表に含まれる時刻表情報を含む広告出力条件情報と、前記広告出力条件情報に基づいて前記時刻表に表示するための広告情報を受け付ける出稿情報受付手段と、
前記広告出力条件情報および前記広告情報を関連付けて記憶する出稿情報データベースを作成するデータベース作成手段と、
を備えた情報処理システムを構成するために、
上記手段の少なくとも１つを備えたことを特徴とする情報処理装置。
【請求項１４】
コンピュータを、
交通機関の時刻表に含まれる時刻表情報を含む広告出力条件情報と、前記広告出力条件情報に基づいて前記時刻表に表示するための広告情報を受け付ける出稿情報受付手段、および
前記広告出力条件情報および前記広告情報を関連付けて記憶する出稿情報データベースを作成するデータベース作成手段
として機能させるための情報処理プログラム。
【請求項１５】
出稿情報受付手段が、交通機関の時刻表に含まれる時刻表情報を含む広告出力条件情報と、前記広告出力条件情報に基づいて前記時刻表に表示するための広告情報を受け付けるステップと、
データベース作成手段が、前記広告出力条件情報および前記広告情報を関連付けて記憶する出稿情報データベースを作成するステップと、
を備えることを特徴とする情報処理方法。
【発明の詳細な説明】
【技術分野】
【０００１】
本発明は、情報処理システム、情報処理プログラム、情報処理装置、情報処理方法に関する。
【背景技術】
【０００２】
従来、パソコンやスマートフォン等の情報処理端末に、鉄道やバス等の交通機関の時刻表を表示するソフトウェアないしアプリが知られている。例えば、スマートフォンにインストールされたナビゲーション・アプリの時刻表メニューを選択することにより、周辺駅の時刻表や事前登録された駅の時刻表が表示される。あるいは、経路探索結果の各移動区間に表示される時刻表アイコンを選択することにより、当該移動区間における出発駅の時刻表が表示される。
【０００３】
なお、特許文献１には、鉄道の時刻表とともに広告を表示することが記載されている。
【先行技術文献】
【特許文献】
【０００４】
【特許文献１】特開平１０−２９３５３５号公報
【発明の概要】
【発明が解決しようとする課題】
【０００５】
時刻表は、日常的によく利用される機能であり、表示回数も多い。しかしながら、広告の掲載エリアとしては、あまり利用されていないという状況にある。特許文献１には、鉄道の時刻表とともに広告を表示することが記載されているが、当該広告は時刻表の内容とは何ら関係がない。このため、ユーザの関心や潜在的欲求と広告内容とが適合せず、ユーザに対して効果的に訴求可能な広告を出稿できていないという課題があった。
【０００６】
そこで、本発明は、時刻表を閲覧するユーザに対し効果的に訴求可能な広告を出稿することができる情報処理システム、情報処理プログラム、情報処理装置および情報処理方法を提供することを目的とする。
【課題を解決するための手段】
【０００７】
本発明に係る情報処理システムは、
交通機関の時刻表に含まれる時刻表情報を含む広告出力条件情報と、前記広告出力条件情報に基づいて前記時刻表に表示するための広告情報とを受け付ける出稿情報受付手段と、
前記広告出力条件情報および前記広告情報を関連付けて記憶する出稿情報データベースを作成するデータベース作成手段と、
を備えることを特徴とする。
【発明の効果】
【０００８】
本発明によれば、時刻表を閲覧するユーザに対し効果的に訴求可能な広告を出稿することができる。
【図面の簡単な説明】
【０００９】
【図１】第１の実施形態に係る広告出稿システム１の概略的な構成を示す図である。
【図２】第１の実施形態に係る出稿情報データベースの一例を示す図である。
【図３】第１の実施形態に係る広告出稿システム１の処理動作の一例を示すシーケンス図である。
【図４】第１の実施形態に係る情報処理システム５の概略的な構成を示す図である。
【図５Ａ】第１の実施形態に係る情報処理システム５の処理動作の一例を示すシーケンス図である。
【図５Ｂ】図５Ａに続く、第１の実施形態に係る情報処理システム５の処理動作の一例を示すシーケンス図である。
【図５Ｃ】図５Ａに続く、第１の実施形態の変形例に係る処理動作の一例を示すシーケンス図である。
【図６】第１の実施形態に係る端末装置６に表示される画面の第１の例である。
【図７】第１の実施形態に係る端末装置６に表示される画面の第２の例である。
【図８】第１の実施形態に係る端末装置６に表示される画面の第３の例である。
【図９】第１の実施形態に係る端末装置６に表示される画面の第４の例である。
【図１０】第１の実施形態の変形例に係る画面遷移を説明するための図である。
【図１１】第２の実施形態に係る情報処理システム５Ａの概略的な構成を示す図である。
【図１２】第２の実施形態に係る情報処理システム５Ａの処理動作の一例を示すシーケンス図である。
【図１３】第２の実施形態に係る端末装置６に表示される画面の第１の例である。
【図１４】第２の実施形態に係る端末装置６に表示される画面の第２の例である。
【図１５】第２の実施形態に係る端末装置６に表示される画面の第３の例である。
【発明を実施するための形態】
【００１０】
以下、本発明に係る実施形態について、図面を参照しながら具体的に説明する。
【００１１】
＜広告出稿システム＞
実施形態に係る広告出稿システム１について説明する。広告出稿システム１は、ユーザ端末（後述の端末装置６に相当。）に時刻表とともに表示する広告を出稿するための情報処理システムである。
【００１２】
広告出稿システム１は、図１に示すように、出稿端末２と、サーバ３とを備えている。出稿端末２とサーバ３とは、インターネット等の通信ネットワーク４を介して互いに通信可能に接続されている。通信ネットワーク４は、有線回線および無線回線のいずれでもよく、回線の種類や形態は問わない。
【００１３】
出稿端末２は、広告を出稿するために出稿者が使用するパソコン等の情報処理装置である。なお、出稿端末２は、スマートフォンやタブレット端末等のモバイル端末であってもよい。また、出稿端末２は１台に限られず、複数台の出稿端末２がサーバ３に接続されてもよい。
【００１４】
出稿端末２は、図１に示すように、通信部２１と、制御部２２と、入力部２３と、表示部２４とを有する。
【００１５】
通信部２１は、通信ネットワーク４を介して出稿端末２とサーバ３との間で情報を送受信するためのインターフェースである。
【００１６】
制御部２２は、出稿情報を受け付ける出稿情報受付部２２１を有する。出稿情報受付部２２１については後ほど詳しく説明する。本実施形態では、出稿情報受付部２２１は、出稿端末２内のプロセッサが所定のプログラムを実行することにより実現される。
【００１７】
入力部２３は、出稿者が出稿端末２に情報を入力するためのインターフェースであり、例えばキーボードであるが、その他、タッチパネル、マイクロフォン（モバイル端末の内蔵マイク等）であってもよい。
【００１８】
表示部２４は、出稿端末２から出稿者に対して各種情報を出力するインターフェースであり、例えば、液晶ディスプレイ等の映像表示手段である。なお、表示部２４がタッチパネルの場合には、表示部２４が入力部２３を兼ねてもよい。
【００１９】
ここで、出稿情報受付部２２１について説明する。
【００２０】
出稿情報受付部２２１は、入力部２３を介して出稿者から出稿情報を受け付ける。この出稿情報受付部２２１は、広告を出力するための条件を示す広告出力条件情報と、この広告出力条件情報に基づいて時刻表に表示するための広告情報とを、出稿情報として受け付ける。出稿情報受付部２２１は、広告出力条件情報や広告情報のほか、広告の掲載期間、広告単価等の情報を受け付けてもよい。
【００２１】
広告出力条件情報は、少なくとも、交通機関の時刻表に含まれる時刻表情報を含む。なお、本実施形態では、交通機関が鉄道であるとして説明するが、バス、飛行機、船等であってもよい。
【００２２】
時刻表情報は、交通機関の時刻表に含まれる情報であり、時刻関連情報と非時刻関連情報に大別される。
【００２３】
時刻関連情報は、交通機関の発着時刻（発車時刻または到着時刻）、および／または発着時刻を含む時間帯を含む。時間帯は一日のうち鉄道が運行される期間が区分されたものであるが、区分の仕方は任意である。すなわち、所定時間単位で区分された時間帯であってもよいし（例えば１時間単位、２時間単位など）、運行期間をいくつかの時間帯に分けてもよい（例えば、朝、昼、夜など）。
【００２４】
非時刻関連情報は、移動手段種別、駅、交通事業者、路線、方面、便、および日種別のうち少なくともいずれか一つが含まれる。「移動手段種別」は、例えば、鉄道、バス、飛行機、船等である。「便」は、例えば、特急、急行、終電、始発等である。「日種別」は、例えば、平日、土曜、休日等である。非時刻関連情報は季節（春、夏、秋、冬など）を含んでもよい。
【００２５】
なお、本願発明で用いる「駅」の用語は、鉄道の駅に限らず、バスのバス停、飛行機の空港、船の港等、交通機関が発着する場所を意味する。
【００２６】
また、非時刻関連情報の「駅」は、時刻表に係る駅に限られず、当該駅の周辺に存在する駅であってもよい。このように、時刻表情報は、時刻表に直接的に含まれる情報に限られず、間接的に含まれる情報であってもよい。
【００２７】
広告出力条件情報は、前述の時刻表情報のほか、時間的に変動し得る変動情報を含んでもよい。変動情報は、例えば、交通機関の運行状況、予約状況、混雑度、天候であり、これらの情報のうち少なくともいずれか一つを含む。「運行状況」は、例えば、平常運転、遅延発生などである。遅延の場合は、遅延時間を広告出力条件に加えてもよい。「予約状況」は、例えば、特急の指定席の空き状況や、広告に係る店舗の空き状況などである。「混雑度」は、交通機関の混雑度や、広告に係る店舗の混雑度などである。「天候」は、晴れ、曇り、雨などである。
【００２８】
広告出力条件情報は、地理的な隔たり、および／または時間的な隔たりを示す隔たり情報を含んでもよい。地理的な隔たりに係る隔たり情報は、時刻表に係る位置と、ユーザにより時刻表の表示要求がなされた位置との間の地理的な隔たりを示す。例えば、ユーザ端末に表示された時刻表がＡ駅に関するものであり、当該時刻表の表示要求がなされた位置が地点Ｂであるとしたとき、隔たり情報はＡ駅と地点Ｂとの間の距離、またはＡ駅と地点Ｂ間の移動に要する時間もしくは料金を示す。
【００２９】
一方、時間的な隔たりに係る隔たり情報は、ユーザ端末（より詳しくは後述の表示部６４）に現在表示されている時刻表の時刻（または時間帯）と、ユーザにより時刻表の表示要求がなされた時刻との間の時間的な隔たりを示す。なお、時間的な隔たりに係る隔たり情報は、時刻表の時刻（または時間帯）と、時刻表の閲覧時刻（すなわち、現在時刻）との間の時間的な隔たりを示す情報でもよい。
【００３０】
例えば、閲覧時点よりも先の時刻表（来月の時刻表など）が表示されている場合、ホテル予約等、計画的に利用される商品・サービスに係る広告を提示する。反対に、閲覧時点と時刻表の表示時刻・時間帯が近い場合、スーパーのタイムセールや特急列車の指定席予約等、すぐに利用される商品・サービスに係る広告を提示する。また、地理的な隔たりを加味することでさらに効果的に広告を提示することができる。例えば、端末装置６（ユーザ）の位置が特急列車に乗車可能な駅を示す場合に、当該特急列車の指定席予約に係る広告をユーザに提示することで広告効果をさらに高めることができる。
【００３１】
上記のような隔たり情報を広告出力条件に含めることで、より訴求力のある広告をユーザに提示することができるようになる。
【００３２】
なお、広告出力条件情報は、時刻表が表示されるユーザ端末のユーザに係るユーザ関連情報を含んでもよい。ユーザ関連情報は、例えば、ユーザの性別、年齢、住所、勤務地、定期券区間などが挙げられる。その他、ユーザが登録したブックマーク情報、経路探索履歴、移動履歴等の情報をユーザ関連情報としてもよい。このようなユーザ関連情報を広告出力条件に含めることで、より訴求力のある広告をユーザに提示することができるようになる。本実施形態では、プライバシー保護の観点から、ユーザ関連情報として、ユーザから使用承認が得られた情報のみを用いる。
【００３３】
次に、サーバ３について説明する。図１に示すように、サーバ３は、通信部３１と、制御部３２と、記憶部３３とを有する。
【００３４】
通信部３１は、通信ネットワーク４を介して出稿端末２と、サーバ３との間で情報を送受信するインターフェースである。
【００３５】
制御部３２は、出稿情報データベース３３１を作成するデータベース作成部３２１を有する。本実施形態では、データベース作成部３２１は、サーバ３内のプロセッサが所定のプログラムを実行することにより実現される。
【００３６】
データベース作成部３２１は、出稿情報データベース３３１を記憶部３３に作成する。この出稿情報データベース３３１は、前述の広告出力条件情報と広告情報とを関連付けて記憶する。出稿情報データベース３３１の例については、後ほど図２を参照して説明する。出稿者が出稿端末２の入力部２３から出稿情報を入力すると、出稿情報受付部２２１が出稿情報を受け付ける。その後、受け付けられた出稿情報がサーバ３に送信され、データベース作成部３２１が、入力された情報を出稿情報データベース３３１に格納する。
【００３７】
記憶部３３は、ハードディスクまたは不揮発性半導体メモリ等から構成される固定型データストレージであり、後述の出稿情報データベース３３１を記憶する。なお、記憶部３３は、必ずしもサーバ３内に設けられなくてもよく、通信ネットワークを介して通信可能に接続された別の情報処理装置内に設けられてもよい。
【００３８】
出稿情報データベース３３１について図２を参照してより詳しく説明する。図２は、出稿情報データベース３３１の一例を示している。図２に示すように、出稿情報データベース３３１は、出稿者情報および出稿情報を有する。
【００３９】
出稿者情報は、広告主、広告対象およびグループを含んでいる。なお、グループは、同一広告主の出稿情報のうち共通項を有する出稿情報をグループ化するために用いられる。図２の例では、出稿情報は、駅名によりグループ化されている。具体的には、広告ＩＤがＣ−３−０１とＣ−３−０２の２つの出稿情報がグループ化されている。
【００４０】
出稿情報は、広告出力条件情報、広告情報、掲載期間および広告単価を含んでいる。図２の例では、広告出力条件情報は、時刻関連情報、非時刻関連情報および変動情報を含む。なお、各出稿情報にはユニークな広告ＩＤが割り当てられる。
【００４１】
図２において、広告出力条件情報内の“＊”は任意であることを示している。例えば、広告ＩＤがＣ−１−０２の場合、ユーザ端末に現在表示されている時刻表の「時間帯」が「２３：００−２５：００」であることが広告情報を出力するための必要条件であり、「時刻」は問わない。即ち、時刻表のうち、ユーザ端末に表示されている時刻が２３：０１でもよいし、２４：５９でもよい。この広告ＩＤの場合は、鉄道事業者ＭおよびＯ駅の各条件を満たす時刻表であって、そのうち「２３：００−２５：００」の時間帯がユーザ端末に表示されていることが、タクシー事業者Ａのタクシーに係る広告を出力するための条件である。
【００４２】
広告情報は、ユーザ端末に時刻表とともに表示する広告に係る情報である。広告情報には、広告のテキスト、画像、動画および音声のうち少なくともいずれか一つが含まれる。なお、出稿情報データベース３３１には、広告情報そのものではなく、広告情報が保存された場所を示すリンク情報が格納されてもよい。
【００４３】
掲載期間は、ユーザ端末に広告情報を掲載（表示）する期間を示す。掲載期間は、例えば、出稿情報がサーバ３に登録されてからの期間でもよいし（例えば３ヶ月など）、あるいは、日時で指定されてもよい（例えば２０１８年４月３０日１４時までなど）。
【００４４】
出稿情報の広告単価は、出稿者が設定可能である。広告単価は、例えば、広告情報の表示回数当たりの単価（表示単価）である。あるいは、広告単価は、広告情報の選択回数当たりの単価（いわゆるクリック単価等）でもよいし、実際にユーザが広告に係る商品・サービスを購入した金額に応じて決められた単価（実績単価）でもよい。実績単価の場合、広告主の売り上げのうち所定の割合が広告単価として自動的に設定されるようにしてもよい。
【００４５】
複数の広告主間で出稿情報の広告出力条件が衝突することが考えられる。同一の広告経路出力条件の設定については、一人の広告主にのみ認めるようにしてもよいし、あるいは複数の広告主に認めてもよい。後者の場合、例えば、設定された広告単価が最も高い広告をユーザ端末に掲載するようにしてもよい。
【００４６】
なお、図２に示す出稿情報データベースは一例に過ぎず、交通機関の時刻表に含まれる時刻表情報を含む広告出力条件情報と、時刻表に表示するための広告情報とが関連付けて記憶されたものであればこの例に限られない。例えば、広告出力条件情報として、前述のユーザ関連情報、隔たり情報を含めてもよい。
【００４７】
＜広告出稿システムの動作例＞
次に、図３のフローチャートを参照して、広告出稿システム１の処理動作の一例について説明する。
【００４８】
まず、出稿端末２の出稿情報受付部２２１が、出稿情報を受け付ける（ステップＳ１１）。より詳しくは、出稿情報受付部２２１は、出稿者が出稿端末２の表示部２４に表示されたユーザインタフェースを介して入力した出稿情報を受け付ける。なお、出稿情報のデータ入力を容易にするため、ユーザインタフェースとして、対話型インタフェース（ウィザード）が用いられてもよい。
【００４９】
出稿情報が受け付けられた後、出稿端末２の通信部２１が出稿情報をサーバ３に送信し（ステップＳ１２）、サーバ３の通信部３１が当該情報を受信する（ステップＳ２１）。
【００５０】
出稿端末２から出稿情報を受信すると、サーバ３のデータベース作成部３２１が、出稿端末２から受信した出稿情報に基づいて出稿情報データベース３３１を作成する（ステップＳ２２）。
【００５１】
以上説明したように、本実施形態に係る広告出稿システム１では、出稿情報受付部２２１が出稿者（広告主）から出稿情報を受け付ける。この出稿情報には、交通機関の時刻表に含まれる時刻表情報を含む広告出力条件情報と、広告出力条件情報に基づいて時刻表に表示するための広告情報とが含まれる。そして、出稿情報データベース３３１が、当該出稿情報に基づいて、ユーザ端末に時刻表とともに広告情報を表示するために利用可能な出稿情報データベース３３１を作成する。これにより、本実施形態に係る広告出稿システムによれば、時刻表を閲覧するユーザに対し効果的に訴求可能な広告を出稿することができる。
【００５２】
次に、上記の広告出稿システムで得られた出稿情報データベースを用いてユーザに時刻表とともに広告を提示する情報処理システムについて、２つの実施形態を説明する。
【００５３】
＜情報処理システム（第１の実施形態）＞
まず、第１の実施形態に係る情報処理システム５について説明する。
【００５４】
情報処理システム５は、図４に示すように、端末装置６と、サーバ７とを備えている。端末装置６とサーバ７とは、通信ネットワーク４を介して互いに通信可能に接続されている。サーバ７は、広告出稿システム１のサーバ３と通信ネットワーク４を介して通信可能に接続される。
【００５５】
なお、複数の端末装置６がサーバ７に接続されてもよい。また、サーバ７はサーバ３と一体のサーバ装置として構成されてもよい。
【００５６】
端末装置６は、モバイル端末（スマートフォン、タブレット端末、携帯電話等）やパソコン等の情報処理端末である。端末装置６は、図４に示すように、通信部６１と、制御部６２と、入力部６３と、表示部６４とを有する。なお、端末装置６は、ＧＰＳ受信機等の測位手段（図示せず）を有してもよい。
【００５７】
通信部６１は、通信ネットワーク４を介して端末装置６とサーバ７との間で情報を送受信するためのインターフェースである。
【００５８】
制御部６２は、端末装置６のユーザから入力部６３を介して情報を受け付ける情報受付部６２１と、表示部６４に表示される内容を制御する表示制御部６２２とを有する。本実施形態では、情報受付部６２１、表示制御部６２２は、出稿端末２内のプロセッサが所定のプログラムを実行することにより実現される。
【００５９】
入力部６３は、ユーザが端末装置６に各種情報を入力するためのインターフェースであり、例えば、タッチパネル、キーボード、マイクロフォン（モバイル端末の内蔵マイク等）である。
【００６０】
表示部６４は、端末装置６からユーザへ各種情報を出力するインターフェースであり、例えば、液晶ディスプレイ、有機ＥＬディスプレイ等である。なお、表示部６４がタッチパネルの場合には、表示部６４が入力部６３を兼ねてもよい。
【００６１】
表示制御部６２２は、時刻表情報に基づいて表示部６４に時刻表を表示させる。なお、時刻表は、例えば、時刻表アプリもしくはウィジェットが起動されることにより表示されてもよいし、ナビゲーション・アプリから時刻表メニューが選択されることにより表示されてもよいし、あるいは、経路探索結果を示す画面内の所定のボタン（時刻表アイコンなど）が選択されることにより表示されてもよい。
【００６２】
なお、ここで言う「選択」とは、例えば、タップ、タッチ、スワイプ、クリック、ダブルクリック、音声入力による判断等、ユーザが入力部６３を介して行いうる操作のことである。
【００６３】
表示制御部６２２は、表示部６４に表示される時刻表の表示内容に応じた広告情報を、当該時刻表とともに表示部６４に表示させる。より詳しくは、表示制御部６２２は、後述のようにサーバ７から受信した広告情報のうち、時刻表の表示内容に応じた広告情報を当該時刻表とともに表示部６４に表示させる。
【００６４】
ここで、「時刻表の表示内容」は、時間帯、発着時刻、日種別等、時刻表情報に含まれる情報である。なお、時刻表に交通機関の運行状況、混雑度、天候などが表示される場合は、「時刻表の表示内容」は、運行状況、混雑度、天候等、変動情報に含まれる情報であってもよい。表示制御部６２２は、表示部６４に表示されている時刻表の表示内容を広告出力条件とする広告情報を表示部６４に表示させる。
【００６５】
なお、表示制御部６２２は、表示部６４に表示される時刻表の時刻または時間帯を変更するユーザ操作に伴って、表示部６４に表示させる広告情報を切り替えてもよい。ユーザ操作は、例えば、表示部６４に表示される時刻表の時刻または時間帯を連続的に変化させるスクロール操作である。
【００６６】
この場合、表示制御部６２２は、スクロール操作による時刻表のスクロールが停止してから、表示部６４に広告情報を表示させるようにしてもよい。すなわち、表示制御部６２２は、スクロール中は表示部６４に広告情報を表示させないようにしてもよい。これにより、スクロール動作中の、広告効果の低い広告表示に対して広告主に課金することを防止できる。スクロール停止時に表示される広告情報は、スクロール停止時に表示部６４に表示される時刻表の時刻または時間帯に応じた広告である。
【００６７】
なお、表示制御部６２２は、表示部６４に表示される内容を制御する場合に限られず、端末装置６に有線または無線で接続された外付けの表示部に表示される内容を制御してもよい。
【００６８】
また、表示制御部６２２は、広告情報を、時刻表の表示領域に隣接する領域に表示してもよいし、時刻表の表示領域内に表示してもよい。
【００６９】
次に、サーバ７について説明する。図４に示すように、サーバ７は、通信部７１と、制御部７２と、記憶部７３とを有する。
【００７０】
通信部７１は、通信ネットワーク４を介して端末装置６とサーバ７との間で情報を送受信するためのインターフェースである。
【００７１】
制御部７２は、時刻表取得部７２１と、広告取得部７２２とを有する。時刻表取得部７２１および広告取得部７２２については後ほど詳しく説明する。本実施形態では、制御部７２の各部は、サーバ７内のプロセッサが所定のプログラムを実行することにより実現される。なお、制御部７２は、端末装置６から受信される経路探索条件に基づいて出発地から目的地までの移動経路を探索する経路探索部（図示せず）を有してもよい。
【００７２】
記憶部７３は、ハードディスクまたは不揮発性半導体メモリ等から構成される固定型データストレージであり、後述の各種データベースを格納する。なお、記憶部７３は、必ずしもサーバ７内に設けられなくてもよく、通信ネットワークを介して通信可能に接続された別の装置内に設けられてもよい。
【００７３】
記憶部７３は、出稿情報データベース７３１と、時刻表データベース７３２とを有する。なお、出稿情報データベース７３１および時刻表データベース７３２は、同じ記憶装置に格納される場合に限られず、異なる記憶装置に別々に格納されてもよい。また、記憶部７３は、経路探索を実行する際に使用される経路ネットワークデータベース（図示せず）を有してもよい。
【００７４】
出稿情報データベース７３１は、前述のデータベース作成部３２１により作成されたデータベースであり、出稿情報データベース３３１と同じ内容を有するものである。
【００７５】
時刻表データベース７３２は、交通機関の時刻表情報を有するデータベースである。例えば、時刻表データベース７３２は、移動手段種別および交通事業者ごとの複数の時刻表データベースを有する。各時刻表データベースは、例えば、駅、路線、方面および日種別ごとの発着時刻情報を有する。
【００７６】
ここで、時刻表取得部７２１および広告取得部７２２について説明する。
【００７７】
時刻表取得部７２１は、時刻表を特定するための時刻表特定情報を用いて時刻表データベース７３２を検索し、時刻表特定情報に対応する時刻表情報を取得する。例えば、鉄道事業者名、駅名、路線名および方面の情報を検索キーとして時刻表データベース７３２を検索し、検索条件に適合する時刻表情報を取得する。
【００７８】
広告取得部７２２は、交通機関の時刻表に含まれる時刻表情報に基づいて広告情報を取得する。より詳しくは、広告取得部７２２は、時刻表取得部７２１により取得された時刻表情報を用いて出稿情報データベース７３１を検索し、出稿情報データベース７３１から少なくとも一つの広告情報を取得する。図２の出稿情報データベースの例で説明すると、時刻表情報に鉄道の交通事業者“Ｊ”、路線“Ｓ”、“赤羽”方面の情報が含まれているとき、広告取得部７２２は、広告ＩＤ：Ｃ−８−０２の広告情報と、広告ＩＤ：Ｃ−９−０１の広告情報を出稿情報データベース７３１から取得する。
【００７９】
なお、広告取得部７２２は、時刻表取得部７２１が時刻表検索に用いる時刻表特定情報に基づいて出稿情報データベース７３１を検索して、広告情報を取得してもよい。また、出稿情報データベース７３１の広告情報に、広告情報が保存された場所を示すリンク情報が格納されている場合、広告取得部７２２は、当該リンク情報に基づいて広告保存場所にアクセスして広告情報を取得する。
【００８０】
＜情報処理システム（第１の実施形態）の動作＞
次に、図５Ａおよび図５Ｂのフローチャートを参照して、情報処理システム５の処理動作の一例について説明する。
【００８１】
まず、端末装置６の情報受付部６２１が、時刻表を特定するための時刻表特定情報を受け付ける（ステップＳ３１）。本ステップでは、例えば、ユーザが表示部６４に表示されたユーザインタフェースに従って入力部６３を介して駅、路線および方面を選択すると、情報受付部６２１は、ユーザが選択した駅、路線および方面を時刻表特定情報として受け付ける。
【００８２】
時刻表特定情報が受け付けられた後、端末装置６の通信部６１が、サーバ７に時刻表特定情報を送信し（ステップＳ３２）、サーバ７の通信部７１が時刻表特定情報を受信する（ステップＳ４１）。
【００８３】
時刻表特定情報が受信された後、サーバ７の時刻表取得部７２１が、時刻表データベース７３２から時刻表情報を取得する（ステップＳ４２）。より詳しくは、時刻表取得部７２１は、時刻表特定情報を検索キーとして用いて時刻表データベース７３２を検索することにより、当該時刻表特定情報に対応する時刻表情報を取得する。
【００８４】
次に、広告取得部７２２が、出稿情報データベース７３１から、少なくとも一つの広告情報を取得する（ステップＳ４３）。より詳しくは、広告取得部７２２は、時刻表情報または時刻表特定情報に含まれる検索キーを用いて出稿情報データベース７３１を検索することにより、少なくとも一つの広告情報を取得する。例えば、時刻表情報または時刻表特定情報がＡ路線、Ｂ駅、Ｃ方面との情報を含む場合、広告取得部７２２は、Ａ路線、Ｂ駅およびＣ方面を広告出力条件とする広告情報を全て取得する。なお、時刻表特定情報を用いる場合は、ステップＳ４３をステップＳ４２より先に実行してもよい。
【００８５】
広告情報が取得された後、サーバ７の制御部７２が、通信部７１を介して、時刻表取得部７２１により取得された時刻表情報と、広告取得部７２２により取得された少なくとも一つの広告情報とを端末装置６に送信する（ステップＳ４４）。そして、端末装置６は、サーバ７から送信された時刻表情報と広告情報を受信する（ステップＳ３３）。
【００８６】
時刻表情報と広告情報が受信されると、表示制御部６２２が、表示部６４に表示される時刻表の表示内容に応じた広告情報を、当該時刻表とともに表示部６４に表示させる（ステップＳ３４）。例えば、ユーザが時刻表の表示を要求した際、現在時刻が含まれる時間帯の時刻表を始めに表示する仕様となっている場合、表示制御部６２２は、サーバ７から受信した複数の広告情報のうち、現在時刻が含まれる時間帯を広告出力条件とする広告情報を表示部６４に表示させる。なお、複数の広告情報が該当する場合、例えば順番に表示してもよいし、広告単価の高いものを表示してもよい。
【００８７】
なお、本実施形態では、時刻表情報と広告情報がサーバ７から端末装置６に送信されたが、これらの情報がそれぞれ別のサーバから送信されるようにしてもよい。すなわち、時刻表取得部７２１を有する第１のサーバから時刻表情報が端末装置６に送信され、広告取得部７２２を有する第２のサーバから広告情報が端末装置６に送信されてもよい。
【００８８】
第１の実施形態に係る広告情報の表示例について、図６〜図９を参照して説明する。
【００８９】
図６の画面例では、現在時刻（１９時７分）が含まれる時間帯（１９時台）の時刻表が表示されるとともに、焼き鳥○○のＯ駅前店に係る広告ＡＤ１が表示される。この広告ＡＤ１は、図２の出稿情報データベースの広告ＩＤ：Ｃ−８−０１に対応する。
【００９０】
ここで、本実施形態の時刻表の表示画面について説明する。まず、表示領域Ｒ１には、駅名、路線名、方面名等が表示される。これにより、ユーザは表示部６４に表示されている時刻表が、どの駅の、どの路線の、どの方面のものであるのかについて容易に認識できる。
【００９１】
表示領域Ｒ２には、日種別を設定するためのタブＴ１，Ｔ２，Ｔ３が表示される。図６では、「平日」を示すタブＴ１が選択されている。タブＴ２は土曜日の時刻表を表示するためのタブであり、タブＴ３は休日（日曜、祝日）の時刻表を表示するためのタブである。なお、タブＴ３の右隣りにある「日時指定」を選択すると、表示される時刻表の日時を指定することが可能である。
【００９２】
表示領域Ｒ３には、列車の発車時刻が表示されている。ユーザ操作により上下にスクロールさせて、他の時刻・時間帯を閲覧することができる。また、発車時刻の右隣りには列車の混雑度を示すアイコンが表示されている。急行や特急等、特定の便に係る情報も表示される。
【００９３】
表示領域Ｒ４には、時間帯を示す数字（５，６〜２３，０）が縦方向に表示されている。数字を選択することで当該数字に対応する時間帯の時刻表が表示される。
【００９４】
表示領域Ｒ５には、広告情報が表示される。なお、表示領域Ｒ５は、図６に示す位置（時刻表の下段）に限られず、任意の位置に設定可能である。また、表示領域Ｒ５は固定の領域ではなく、可動領域であってもよい（すなわち、表示される広告は動いてもよい）。また、複数の広告が切り替わる場合、表示する広告に応じて表示領域Ｒ５を移動させてもよい。
【００９５】
図７の画面例では、２３時台の時刻表が表示されており、タクシー配車に係る広告ＡＤ２が表示されている。広告ＡＤ２は、図２の出稿情報データベースの広告ＩＤ：Ｃ−１−０２に対応する。また、図８の画面例では、２０時台の時刻表が表示されている。当該時刻表には特急（２０時３３分発）が含まれており、この特急の指定席予約に係る広告ＡＤ３が表示されている。広告ＡＤ３は、図２の出稿情報データベースの広告ＩＤ：Ｃ−３−０１に対応する。図９の画面例では、バス停“ＭＡ二丁目”の時刻表が表示されるとともに、スーパーＨのタイムセールに係る広告ＡＤ４が表示される。広告ＡＤ４は、図２の出稿情報データベースの広告ＩＤ：Ｃ−１０−０１に対応する。
【００９６】
図６〜図９の例ではいずれも、表示部６４に表示されている時刻表の時間帯と、広告に係る商品・サービスとの間の相関関係が強い。このように時刻表を閲覧するユーザが興味を持っている時刻・時間帯に合わせた広告を表示することで、端末装置６のユーザに行動の変化を促しやすい広告を提示することができる。
【００９７】
＜情報処理システムの動作（第１の実施形態の変形例）＞
次に、図５Ｃのフローチャートを参照して、情報処理システム５の処理動作の変形例について説明する。本変形例では、ユーザが端末装置６に表示された時刻表をスクロールする等して表示時間帯等を変更した場合、それに連動して広告を切り替える。
【００９８】
図５Ａで説明したステップＳ４４（時刻表情報と広告情報の送信）までの処理フローは同じなので説明を省略する。
【００９９】
端末装置６は、サーバ７から送信された時刻表情報と広告情報を受信する（ステップＳ３６）。本ステップでは、複数の広告情報が受信される。そして、表示制御部６２２が、時刻表情報に基づいて表示部６４に時刻表を表示させる（ステップＳ３７）。この際、本実施形態では、広告情報は表示部６４に表示されない。これに限らず、表示制御部６２２は、所定の時刻または時間帯（例えば最初に表示される時刻、現在時刻が含まれる時間帯等）を広告出力条件とする広告情報を表示してもよい。
【０１００】
その後、制御部６２が、ユーザ操作により時刻表がスクロール中であるか否かを判定する（ステップＳ３８）。本ステップは、制御部６２が入力部６３から受信する情報に基づいて行われる。判定の結果、スクロール中でなければ（Ｓ３８：Ｎｏ）、すなわち、スクロールが停止していれば、表示制御部６２２は、その時点で表示部６４に表示されている時刻または時間帯に応じた広告情報を表示させる（ステップＳ３９）。一方、スクロール中であれば（Ｓ３８：Ｙｅｓ）、表示制御部６２２は、表示部６４に広告情報を表示させない（すなわち、何もしない）。
【０１０１】
図１０は、本変形例に係る画面遷移例を示している。図１０左側の画面には、１２時台の時刻表とともに広告ＡＤ５１（コーヒーショップの広告）が表示されている。ユーザ操作により時刻表がスクロールして１８時台の時刻表が表示されると、図１０中央の画面に示すように、広告ＡＤ５２（サロンの広告）が表示される。さらに、ユーザ操作により時刻表がスクロールして２３時台の時刻表が表示されると、広告ＡＤ５３（ホテルの予約）が表示される。
【０１０２】
なお、表示制御部６２２は、スクロール中であっても、その瞬間に表示部６４に表示される時間または時間帯に応じた広告情報を表示部６４に表示させてもよい。
【０１０３】
また、表示部６４に表示される時刻表の時刻または時間帯を変更するユーザ操作は、スクロール操作に限られず、例えば、画面切換ボタンの選択、スワイプ操作等であってもよい。
【０１０４】
上記のように本変形例では、表示制御部６２２は、表示部６４に表示される時刻表の時刻または時間帯を変更するユーザ操作に伴って、表示部６４に表示させる広告情報を切り替える。すなわち、表示部６４に表示される時刻表の時刻情報の変化に連動して、広告情報を変化させる。そして、表示部６４に表示される広告情報は、表示されている時刻表の時間帯または時刻を広告出力条件とするものである。したがって、本変形例によれば、時刻表を閲覧するユーザに対して、訴求力のある広告を適切なタイミングで提示することができる。
【０１０５】
また、本変形例によれば、スクロールが停止した後に広告が表示されるようにすることで、広告効果の低い広告表示に対して広告主に課金することを防止できる。
【０１０６】
＜情報処理システム（第２の実施形態）＞
次に、第２の実施形態に係る情報処理システム５Ａについて説明する。本実施形態では、時刻表情報だけでなく、前述の変動情報も広告出力条件とする広告情報を端末装置６のユーザに提示する。以下、第１の実施形態との相違点を中心に第２の実施形態について説明する。
【０１０７】
情報処理システム５Ａは、図１１に示すように、端末装置６と、サーバ７と、予約サーバ８と、を備えている。端末装置６、サーバ７および予約サーバ８は、通信ネットワーク４を介して互いに通信可能に接続されている。
【０１０８】
端末装置６の構成は、第１の実施形態とほぼ同様である。ただし、表示制御部６２２は、広告情報とともに、変動情報の更新時刻を表示部６４に表示させてもよい。
【０１０９】
サーバ７の構成は、第１の実施形態とほぼ同様である。ただし、広告取得部７２２は、変動情報に基づいて広告情報を取得する。より詳しくは、広告取得部７２２は、時刻表情報と変動情報（あるいは時刻表特定情報と変動情報）を用いて出稿情報データベース７３１を検索し、時刻表情報に係る第１の広告出力条件と、変動情報に係る第２の広告出力条件の両方を満たす広告情報を取得する。
【０１１０】
予約サーバ８は、図１１に示すように、通信部８１と、制御部８２と、記憶部８３とを有する。通信部８１は、通信ネットワーク４を介して端末装置６やサーバ７との間で情報を送受信するためのインターフェースである。
【０１１１】
制御部８２は、外部の装置からの要求等を受け付ける受付部８２１と、当該要求に基づいて予約情報を予約情報データベース８３１から取得する予約情報取得部８２２と、を有する。本実施形態では、制御部８２の各部は、予約サーバ８内のプロセッサが所定のプログラムを実行することにより実現される。
【０１１２】
記憶部８３は、ハードディスクまたは不揮発性半導体メモリ等から構成される固定型データストレージであり、後述の各種データベースを格納する。なお、記憶部８３は、必ずしも予約サーバ８内に設けられなくてもよく、通信ネットワークを介して通信可能に接続された別の装置内に設けられてもよい。
【０１１３】
記憶部８３は、予約情報データベース８３１を有する。予約情報データベース８３１は、例えば、特急列車、ホテルまたは飲食店等の予約情報が格納されたデータベースである。
【０１１４】
なお、予約サーバ８は、予約情報データベース８３１ごとに複数設けられ、各々の予約サーバ８がサーバ７と通信可能に接続されてもよい。
【０１１５】
＜情報処理システム（第２の実施形態）の動作＞
次に、図１２のフローチャートを参照して、情報処理システム５Ａの処理動作の一例について説明する。なお、図５Ａおよび図５Ｂで説明した全体フローは本実施形態においても第１の実施形態と同じなので、相違点に係る広告情報の取得ステップ（ステップＳ４３）について説明する。
【０１１６】
まず、広告取得部７２２は、ステップＳ４２で取得された時刻表情報に基づいて少なくとも一つの候補広告情報を取得する（ステップＳ４３１）。候補広告情報の取得方法は、第１の実施形態で説明した広告情報の取得方法と同様である。候補広告情報は、時刻表特定情報に基づいて取得されてもよい。
【０１１７】
候補広告情報を取得した後、制御部７２が、予約状況に係る広告出力条件があるか否かを判定する（ステップＳ４３２）。予約状況に係る広告出力条件がない場合は（Ｓ４３２：Ｎｏ）、候補広告情報を正式な広告情報とし（ステップＳ４３９Ａ）、第１の実施形態で説明したステップＳ４４に進む。
【０１１８】
一方、予約状況に係る広告出力条件がある場合は（Ｓ４３２：Ｙｅｓ）、制御部７２が、予約サーバ８に予約情報リクエストを送信する（ステップＳ４３３）。例えば、図２に示す出稿情報データベースの広告ＩＤ：Ｃ−３−０２のように、広告出力条件の一つとして予約状況に「空席有り」が設定されている場合、鉄道事業者Ｊの特急の指定席予約状況を入手するために予約情報リクエストが予約サーバ８に送信される。そして、予約サーバ８の受付部８２１が、通信部８１を介して予約情報リクエストを受け付ける（ステップＳ４３４）。次に、予約情報取得部８２２が、予約情報データベース８３１を検索し、要求された予約情報を取得する（ステップＳ４３５）。その後、予約サーバ８は、取得された予約情報をサーバ７に送信する（ステップＳ４３６）。
【０１１９】
その後、サーバ７の制御部７２が、予約サーバ８から予約情報する（ステップＳ４３７）。そして、制御部７２は、受信した予約情報に基づいて、予約状況に係る広告出力条件を満たすか否か（すなわち、空席が有るかどうか）を判定する（ステップＳ４３８）。判定の結果、空席が有る場合（Ｓ４３８：Ｙｅｓ）、ステップＳ４３１で取得された候補広告情報を正式な広告情報とする（ステップＳ４３９Ａ）。一方、空席が無い場合（Ｓ４３８：Ｎｏ）、当該候補広告情報を取り消す（ステップＳ４３９Ｂ）。ステップＳ４３９Ａ，４３９Ｂの処理を行った後、ステップＳ４３１で取得された他の候補広告情報が存在する場合は、当該候補広告情報についてステップＳ４３２〜Ｓ４３９Ａ，Ｂの処理を行う。
【０１２０】
図１２の処理フローに従って取得された広告情報はその後、端末装置６に送信される。そして、第１の実施形態のステップＳ３４で説明したように、表示制御部６２２が、表示部６４に表示される時刻表の表示内容に応じた広告情報を、当該時刻表とともに表示部６４に表示させる。
【０１２１】
第２の実施形態に係る広告情報の表示例について、図１３〜図１５を参照して説明する。
【０１２２】
図１３の画面例では、１９時台の時刻表が表示されるとともに、Ｏ駅前の焼き鳥店に係る広告ＡＤ６が表示される。この広告ＡＤ６は、図２の出稿情報データベースの広告ＩＤ：Ｃ−１２−０１に対応する。広告ＡＤ６は、上記処理フローにより、「焼き鳥ＸＸ  Ｏ駅前店」に空席があることが予約サーバ８で確認されたため、端末装置６に表示される。広告ＡＤ６に「１９時空きあり」が表示されることで、時刻表を閲覧するユーザの行動変化をさらに促すことできるようになる。
【０１２３】
図１４に示す画面例では、１９時台の時刻表が表示されるとともに、サロンに係る広告ＡＤ７が表示されている。広告ＡＤ７は、図２の出稿情報データベースの広告ＩＤ：Ｃ−１１−０１に対応する。広告ＡＤ７は、上記処理フローにより、「ＡＢＣサロン  Ｏ駅前店」に空きがあり、予約可能であることが予約サーバ８で確認されたため、端末装置６に表示される。広告ＡＤ７に「１９：３０−  空きあり」が表示されることで、時刻表を閲覧するユーザの行動変化をさらに促すことできるようになる。
【０１２４】
図１５に示す画面例では、１８時台の時刻表が表示されるとともに、タクシーの配車に係る広告ＡＤ８が表示されている。広告ＡＤ８は、図２の出稿情報データベースの広告ＩＤ：Ｃ−１−０１に対応する。広告ＡＤ８は、路線Ｃ線で遅延が発生していることが鉄道事業者Ｊのサーバ（前述の予約サーバ８に相当）で確認されたため、端末装置６に表示される。広告ＡＤ８には、Ｃ線が運転見合わせ中である旨が表示される。このように遅延情報とともに代替移動手段に係る広告を表示することで、端末装置６のユーザの行動変化をさらに促すことができるようになる。
【０１２５】
なお、広告ＡＤ８では最終更新時刻も表示される。これにより、ユーザは最新情報であるかどうかを容易に確認することができ、広告に係るサービスを利用するかどうかを判断し易くなる。
【０１２６】
以上、本発明に係る実施形態について説明した。上記の実施形態では、時刻表の表示内容に応じた広告情報を時刻表に表示したが、広告情報に代えてＰＯＩ（Ｐｏｉｎｔ  Ｏｆ  Ｉｎｔｅｒｅｓｔ）情報を表示してもよい。この場合、サーバ７は、広告取得部７２２に代えてＰＯＩ情報取得部を備える。このＰＯＩ情報取得部は、時刻表情報または時刻表特定情報に含まれる検索キーを用いて、記憶部７３に格納されたＰＯＩ情報データベースを検索することにより、少なくとも一つのＰＯＩ情報を取得する。取得されたＰＯＩ情報は端末装置６に送信される。そして、端末装置６の表示制御部６２２は、表示部６４に表示される時刻表の表示内容に応じたＰＯＩ情報を、当該時刻表とともに表示部６４に表示させる。
【０１２７】
このような実施形態によれば、端末装置６のユーザは、時刻表を閲覧しながら、時刻表に係る駅もしくはその周辺のスポット情報やイベント情報等を容易に把握することができるようになる。
【０１２８】
また、第１の実施形態の変形例のように、時刻表に表示される時刻もしくは時間帯を変更するユーザ操作に伴って、表示部６４に表示させるＰＯＩ情報を切り替えてもよい。これにより、端末装置６のユーザは、時刻表に係る駅もしくはその周辺のスポット情報やイベント情報等を経時的に容易に把握できるようになる。その結果、例えば、ユーザは未知のスポットを発見したり、当該スポットへのユーザの立ち寄りを誘起することができる。さらに、時刻表の付加価値を高めることができる。
【０１２９】
また、上記と同様の広告出力を時刻表以外の画面について行ってもよい。例えば、経路探索条件に基づいて経路探索された移動経路を示す移動経路情報（経路探索結果）が端末装置６の表示部６４に表示されている際、移動経路情報に含まれる時刻情報に基づく広告情報を移動経路情報とともに表示部６４に表示してもよい。時刻情報は、例えば、出発時刻、乗換時刻または到着時刻である。なお、時刻情報は、出発時刻、到着時刻等の時刻を含む時間帯であってもよい。
【０１３０】
出稿情報受付部２２１は、移動経路情報に含まれる時刻情報を含む広告出力条件情報と、広告出力条件情報に基づいて経路探索結果（移動経路情報）と一緒に表示するための広告情報とを受け付ける。データベース作成部３２１は、広告出力条件情報および広告情報を関連付けて記憶する。
【０１３１】
広告取得部７２２は、移動経路情報に含まれる時刻情報に基づいて広告情報を取得する。表示制御部６２２は、端末装置６の表示部６４に表示される移動経路情報の表示内容に応じた広告情報を、経路情報とともに表示部６４に表示させる。すなわち、端末装置６は、移動経路情報に含まれ且つ表示部６４に表示されている時刻情報（時刻または時間帯）が、広告出力条件の時刻または時間帯に合致する広告を出力する。例えば、出発時刻が表示部６４に表示されている場合は、出発時刻に応じた広告情報を表示し、到着時刻が表示部６４に表示されている場合は、到着時刻に応じた広告情報を表示する。これにより、移動経路（経路探索結果）を閲覧するユーザに対して効果的に訴求可能な広告を提示することができる。
【０１３２】
なお、時刻表の場合と同様に、表示制御部６２２は、表示部６４に表示される移動経路情報の時刻または時間帯を変更するユーザ操作に伴って、表示部６４に表示させる広告情報を切り替えてもよい。例えば、ユーザがスクロール操作により、出発地から目的地に至る移動経路のうち表示部６４に表示される部分を、出発地から目的地に向かって変化させた場合、表示制御部６２２は、始めは出発時刻に応じた広告情報を表示部６４に表示させ、次に乗換時刻に応じた広告情報を表示させ、最後に到着時刻に応じた広告情報を表示させる。
【０１３３】
上述した実施形態で説明した情報処理システムの少なくとも一部は、ハードウェアで構成してもよいし、ソフトウェアで構成してもよい。ソフトウェアで構成する場合には、情報処理システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０１３４】
また、情報処理システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１３５】
さらに、一つまたは複数の情報処理装置によって情報処理システムを機能させてもよい。複数の情報処理装置を用いる場合、情報処理装置のうちの１つをコンピュータとし、当該コンピュータが所定のプログラムを実行することにより情報処理システムの少なくとも１つの手段として機能が実現されてもよい。
【０１３６】
上記の記載に基づいて、当業者であれば、本発明の追加の効果や種々の変形を想到できるかもしれないが、本発明の態様は、上述した個々の実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１３７】
１  広告出稿システム
２  出稿端末
２１  通信部
２２  制御部
２２１  出稿情報受付部
２３  入力部
２４  表示部
３  サーバ
３１  通信部
３２  制御部
３２１  データベース作成部
３３  記憶部
３３１  出稿情報データベース
４  通信ネットワーク
５，５Ａ  情報処理システム
６  端末装置
６１  通信部
６２  制御部
６２１  情報受付部
６２２  表示制御部
６３  入力部
６４  表示部
７  サーバ
７１  通信部
７２  制御部
７２１  時刻表取得部
７２２  広告取得部
７３  記憶部
７３１  出稿情報データベース
７３２  時刻表データベース
８  予約サーバ
８１  通信部
８２  制御部
８２１  受付部
８２２  予約情報取得部
８３  記憶部
８３１  予約情報データベース
ＡＤ１，ＡＤ２，ＡＤ３  広告
Ｒ１，Ｒ２，Ｒ３，Ｒ４，Ｒ５  表示領域
Ｔ１，Ｔ２，Ｔ３  タブ
【図１】
2019184924.tif 000003
【図２】
2019184924.tif 000004
【図３】
2019184924.tif 000005
【図４】
2019184924.tif 000006
【図５Ａ】
2019184924.tif 000007
【図５Ｂ】
2019184924.tif 000008
【図５Ｃ】
2019184924.tif 000009
【図６】
2019184924.tif 000010
【図７】
2019184924.tif 000011
【図８】
2019184924.tif 000012
【図９】
2019184924.tif 000013
【図１０】
2019184924.tif 000014
【図１１】
2019184924.tif 000015
【図１２】
2019184924.tif 000016
【図１３】
2019184924.tif 000017
【図１４】
2019184924.tif 000018
【図１５】
2019184924.tif 000019